(57)【要約】【課題】  ＥＰＧデータを活用して現在視聴中の番組に関連する番組情報を簡単に表示することができる番組情報表示システム及び番組情報表示方法を提供する。【解決手段】  放送波に含まれるＥＰＧデータを取得するＥＰＧデータ取得部と、取得したＥＰＧデータに基づいて、現在視聴中の番組と関連する１以上の番組の情報を表示する画面を生成する表示画面生成部と、生成した表示画面を表示する表示部とを有する番組情報表示システム。【選択図】  図４
2006033410.tif 000002
【特許請求の範囲】
【請求項１】
放送波に含まれるＥＰＧデータを取得するＥＰＧデータ取得部と、
取得したＥＰＧデータに基づいて、現在視聴中の番組と関連する１以上の番組の情報を抽出する関連番組情報抽出部と、
抽出した関連番組情報を表示する画面を生成する表示画面生成部と、
生成した表示画面を表示する表示部とを有する番組情報表示システム。
【請求項２】
前記現在視聴中の番組と関連する番組の情報には、現在視聴中の番組の直後の番組、現在視聴中の番組と同一シリーズの番組、現在視聴中の番組と同じジャンルの番組、翌日の現在視聴している時間帯と同一時間帯に放送される番組、毎日の現在視聴している時間帯と同一時間帯に放送される番組、１週間後の現在視聴している時間帯と同一時間帯に放送される番組、毎週の現在視聴している時間帯と同一時間帯に放送される番組のうち少なくとも１つに関する情報が含まれていることを特徴とする請求項１に記載の番組情報表示システム。
【請求項３】
前記現在視聴中の番組と関連する番組の情報の表示画面上で、ユーザにいずれかの番組の視聴予約又は録画予約を行わせる手段を有していることを特徴とする請求項１又は２に記載の番組情報表示システム。
【請求項４】
前記現在視聴中の番組と関連する番組の情報の表示画面は、放送視聴中において、当該番組の放送時間のうち所定の時点に自動的に表示されることを特徴とする請求項１から３のいずれか１項に記載の番組情報表示システム。
【請求項５】
放送視聴中において、当該番組の放送時間のうち所定の時点が到来すると、前記表示部によりユーザに前記現在視聴中の番組と関連する番組の情報の表示を促す表示がされることを特徴とする請求項１から３のいずれか１項に記載の番組情報表示システム。
【請求項６】
請求項１から５のいずれか１項に記載の番組情報表示システムを備えた表示装置。
【請求項７】
放送波に含まれるＥＰＧデータを取得するステップと、
取得したＥＰＧデータに基づいて、現在視聴中の番組と関連する１以上の番組の情報を抽出するステップと、
抽出した関連番組情報を表示する画面を生成するステップと、
生成した表示画面を表示するステップとを含んだ番組情報表示方法。
【請求項８】
前記現在視聴中の番組と関連する番組の情報には、現在視聴中の番組の直後の番組、現在視聴中の番組と同一シリーズの番組、現在視聴中の番組と同じジャンルの番組、翌日の現在視聴している時間帯と同一時間帯に放送される番組、毎日の現在視聴している時間帯と同一時間帯に放送される番組、１週間後の現在視聴している時間帯と同一時間帯に放送される番組、毎週の現在視聴している時間帯と同一時間帯に放送される番組のうち少なくとも１つに関する情報が含まれていることを特徴とする請求項７に記載の番組情報表示方法。
【請求項９】
前記現在視聴中の番組と関連する番組の情報の表示画面を表示した後、ユーザにいずれかの番組の視聴予約又は録画予約を行わせるステップをさらに含んでいることを特徴とする請求項７又は８に記載の番組情報表示方法。
【請求項１０】
前記現在視聴中の番組と関連する番組の情報の表示画面は、放送視聴中において、当該番組の放送時間のうち所定の時点に自動的に表示されることを特徴とする請求項７から９のいずれか１項に記載の番組情報表示方法。
【請求項１１】
放送視聴中において、当該番組の放送時間のうち所定の時点が到来すると、前記表示部によりユーザに前記現在視聴中の番組と関連する番組の情報の表示を促す表示がされることを特徴とする請求項７から９のいずれか１項に記載の番組情報表示方法。
【発明の詳細な説明】
【技術分野】
【０００１】
本発明は、ＥＰＧを利用して番組情報を表示するシステム及び方法に関し、特に、現在視聴中の番組に関連した番組の情報を表示することができるシステム及び方法に関するものである。
【背景技術】
【０００２】
近年、デジタルテレビ等の普及により、放送局からＥＰＧ（Electric Programming Guide：電子番組表）をダウンロードしてテレビの表示部に表示することが一般的に行われている。ユーザはリモコン（リモートコントローラ）等を操作して、ＥＰＧに含まれている番組情報を好みの形態で表示させることができる。例えば、現在放送中の番組の情報、当日の番組表、週間番組表、特定放送局の放送予定表、特定ジャンルの番組の情報などを表示することができる。ユーザはさらに、表示された番組情報に基づいて、録画予約や視聴予約を行うこともできる。
【０００３】
さらに、特許文献１に記載の電子番組ガイド装置では、ユーザがリモコンにより入力した検索文字列を受信し、当該文字列により検索された番組の放送開始時刻、放送チャンネル等をディスプレイに表示させることを特徴としている。これにより、ユーザはＥＰＧデータの中から興味のある番組の情報を容易に取得することができるとされている。
【特許文献１】特開２０００−２８５５４８号公報
【発明の開示】
【発明が解決しようとする課題】
【０００４】
上記したように、ユーザは、番組のジャンル、放送時刻、放送日、放送局などを指定して、あるいは検索文字列を指定して、ＥＰＧデータの中から所望の番組の情報を取得することができる。ところが、ユーザはそのような特定の番組情報を取得したいと思っていなくとも、番組を視聴中に不意に現在視聴している番組に関連した番組の情報を見たいと考えることがある。例えば、現在視聴している番組の次の番組は何か、同番組の来週の放送はどうなっているか、同じジャンルの別の番組はないかなどを不意に知りたくなることがあると考えられる。しかしながら、上記した従来のＥＰＧデータを用いた番組情報の表示方法では、そのような条件に即した番組情報の表示を行うことは不可能であった。
【０００５】
また、従来のテレビ受信機に搭載されたＥＰＧ表示機能では、ユーザが自らリモコン等を操作してＥＰＧを表示させない限りは、現在視聴中の番組に関連する番組情報が表示されることはなかった。
【０００６】
本発明は、このような実情に鑑みてなされたものであり、ＥＰＧデータを活用して現在視聴中の番組に関連する番組情報を簡単に表示することができる番組情報表示システム及び番組情報表示方法を提供しようとするものである。
【課題を解決するための手段】
【０００７】
上記解決課題に鑑みて鋭意研究の結果、本発明者は、テレビ受信装置において放送信号から取得されるＥＰＧデータを利用して、現在視聴中の番組の直後の番組、現在視聴中の番組と同一シリーズの番組、現在視聴中の番組と同じジャンルの番組、翌日の現在視聴している時間帯と同一時間帯に放送される番組、毎日の現在視聴している時間帯と同一時間帯に放送される番組、１週間後の現在視聴している時間帯と同一時間帯に放送される番組、毎週の現在視聴している時間帯と同一時間帯に放送される番組などを、ユーザの操作に応じて又は自動的に表示することができる番組情報表示システム及び番組情報表示方法を開発した。
【０００８】
すなわち、本発明は、放送波に含まれるＥＰＧデータを取得するＥＰＧデータ取得部と、取得したＥＰＧデータに基づいて、現在視聴中の番組と関連する１以上の番組の情報を抽出する関連番組情報抽出部と、抽出した関連番組情報を表示する画面を生成する表示画面生成部と、生成した表示画面を表示する表示部とを有する番組情報表示システムを提供するものである。
【０００９】
本発明の番組情報表示システムにおいて、前記現在視聴中の番組と関連する番組の情報には、現在視聴中の番組の直後の番組、現在視聴中の番組と同一シリーズの番組、現在視聴中の番組と同じジャンルの番組、翌日の現在視聴している時間帯と同一時間帯に放送される番組、毎日の現在視聴している時間帯と同一時間帯に放送される番組、１週間後の現在視聴している時間帯と同一時間帯に放送される番組、毎週の現在視聴している時間帯と同一時間帯に放送される番組のうち少なくとも１つに関する情報が含まれていることを特徴とする。
【００１０】
本発明の番組情報表示システムは、また、前記現在視聴中の番組と関連する番組の情報の表示画面上で、ユーザにいずれかの番組の視聴予約又は録画予約を行わせる手段を有していることを特徴とする。
【００１１】
本発明の番組情報表示システムにおいて、前記現在視聴中の番組と関連する番組の情報の表示画面は、放送視聴中において、当該番組の放送時間のうち所定の時点に自動的に表示されることを特徴とする。
【００１２】
本発明の番組情報表示システムでは、放送視聴中において、当該番組の放送時間のうち所定の時点が到来すると、前記表示部によりユーザに前記現在視聴中の番組と関連する番組の情報の表示を促す表示がされることを特徴とする。
【００１３】
本発明は、また、上記したいずれかの番組情報表示システムを備えた表示装置を提供するものである。
【００１４】
本発明は、さらに、放送波に含まれるＥＰＧデータを取得するステップと、取得したＥＰＧデータに基づいて、現在視聴中の番組と関連する１以上の番組の情報を抽出するステップと、抽出した関連番組情報を表示する画面を生成するステップと、生成した表示画面を表示するステップとを含んだ番組情報表示方法を提供するものである。
【００１５】
本発明の番組情報表示方法において、前記現在視聴中の番組と関連する番組の情報には、現在視聴中の番組の直後の番組、現在視聴中の番組と同一シリーズの番組、現在視聴中の番組と同じジャンルの番組、翌日の現在視聴している時間帯と同一時間帯に放送される番組、毎日の現在視聴している時間帯と同一時間帯に放送される番組、１週間後の現在視聴している時間帯と同一時間帯に放送される番組、毎週の現在視聴している時間帯と同一時間帯に放送される番組のうち少なくとも１つに関する情報が含まれていることを特徴とする。
【００１６】
本発明の番組情報表示方法は、また、前記現在視聴中の番組と関連する番組の情報の表示画面を表示した後、ユーザにいずれかの番組の視聴予約又は録画予約を行わせるステップをさらに含んでいることを特徴とする。
【００１７】
本発明の番組情報表示方法において、前記現在視聴中の番組と関連する番組の情報の表示画面は、放送視聴中において、当該番組の放送時間のうち所定の時点に自動的に表示されることを特徴とする。
【００１８】
本発明の番組情報表示方法では、放送視聴中において、当該番組の放送時間のうち所定の時点が到来すると、前記表示部によりユーザに前記現在視聴中の番組と関連する番組の情報の表示を促す表示がされることを特徴とする。
【発明の効果】
【００１９】
以上、説明したように、本発明の番組情報表示システム及び番組情報表示方法によれば、ユーザは、現在視聴中の番組に関連する番組の情報を極めて容易な操作により表示させることができ、さらに、その表示された番組の視聴予約又は録画予約を簡単にすることができる。
【発明を実施するための最良の形態】
【００２０】
以下、添付図面を参照しながら、本発明の番組情報表示システム及び番組情報表示方法を実施するための最良の形態を詳細に説明する。図１〜図４は、本発明の実施の形態を例示する図であり、これらの図において、同一の符号を付した部分は同一物を表わし、基本的な構成及び動作は同様であるものとする。
【００２１】
１．テレビ受信装置の全体構成
図１は、本発明の番組情報表示システムを内蔵したテレビ受信装置の全体構成を概略的に示す図である。図１において、本テレビ受信装置１０は、受信映像やＯＳＤ（On Screen Display）などを表示するためのモニター装置５と、ユーザがテレビ受信装置１０に対して操作を行うためのリモコン７と、リモコン７からの信号を受信するリモコン受信部６と、内蔵された放送受信部５０とを有している。また、装置外部に設置されているデジタル衛星放送受信アンテナ１、デジタル地上放送受信アンテナ２、アナログ地上放送受信アンテナ３と接続されている。
【００２２】
デジタル衛星放送受信アンテナ１は、パラボラアンテナと、受信周波数をIF周波数に変換するＬＮＢとから構成されており、ＩＦ周波数の衛星放送受信信号がテレビ受信装置に入力されるようになっている。デジタル地上放送受信アンテナ２は、日本においてはＵＨＦアンテナで構成され、アナログ地上放送受信アンテナ３は、ＶＨＦアンテナやＵＨＦアンテナなどで構成されており、それぞれ受信した放送信号がテレビ受信装置に入力されるようになっている。尚、上記以外にも、ケーブルテレビなどから放送信号を取得可能であるが、他の放送受信設備と同様に構成することが出来るので、ここでは説明を省略する。
【００２３】
テレビ受信装置１０に入力された各種の放送信号は、内部の放送受信部５０において復調、変調等の処理を施されて、映像信号及び音声信号に分離された後、それぞれがモニター装置５及び図示しないスピーカ等に出力される。また、放送信号に含まれるＥＰＧデータも放送受信部５０において復号され、テレビ受信装置１０において番組情報等を表示するために用いられる。
【００２４】
テレビ受信装置１０のモニター装置５は、例えば、ＣＲＴや薄型液晶パネルなどを利用した表示装置から構成され、その表示画面５Ａには放送受信した映像やＥＰＧデータに基づいた番組情報などが表示される。テレビ受信装置１０のリモコン受信部６及びリモコン７は、赤外線（ＩＲ）を利用して通信を行うことができる。
【００２５】
２．テレビ受信装置の内部構成
図２は、図１に示すテレビ受信装置１０に内蔵されている放送受信部５０の構成を概略的に示す機能ブロック図である。図２において、放送受信部５０は、ＣＰＵ３２と、チューニング／復調部３３と、多重信号分離部３４と、映像信号復号部３５と、音声信号復号部３６と、ＯＳＤ作成部３７と、映像信号ミックス部３８とを備えている。
【００２６】
各種アンテナにおいて受信した放送受信信号は、チューニング／復調部３３に入力される。一方、ユーザがリモコン等により選局を行うと、操作入力部３１からＣＰＵ３２に選局信号が伝えられるようになっており、ＣＰＵ３２は選局信号を基に選局されたチャンネルのＩＤをチューニング／復調部３３及び多重信号分離部３４に伝えるようになっている。チューニング／復調部３３は、入力される各種の放送受信信号のうち、ＣＰＵ３２から伝えられるＩＤに該当するチャンネルにチューニングを合わせて、そのチャンネルの放送信号に含まれるトランスポートストリーム（ＴＳ）を抽出し、多重信号分離部３４に出力する。多重信号分離部３４は、入力されたトランスポートストリーム（ＴＳ）から当該チャンネルの番組情報を含んだＰＳＩ（Packetized Elementary Stream）と、映像信号及び音声信号を含んだＰＥＳ（Program Specific Information）とを抽出し、番組情報ＰＳＩをＣＰＵ３２に出力するとともに、映像信号ＰＥＳと音声信号ＰＥＳとを分離して、それぞれを映像信号復号部３５及び音声信号復号部３６に出力する。
【００２７】
ＣＰＵ３２は、入力された番組情報ＰＳＩからサービス情報ＳＩ（Service Information）を分離し、ＯＳＤ作成部３７に出力する。このサービス情報ＳＩには、各放送局のチャンネル番号、チャンネル名、番組名、放送開始及び終了時間、放送スケジュール、番組のシリーズに関する情報、番組のジャンル情報などを示すデータが含まれているのが一般的である。サービス情報ＳＩを入力されたＯＳＤ作成部３７は、上記したようなデータに基づいて、番組情報を表示するＯＳＤ画面データを作成し、映像信号ミックス部３８に出力する。
【００２８】
一方、映像信号ＰＥＳが入力された映像信号復号部３５は、映像信号ＰＥＳを復号してアナログの映像信号を生成し、映像信号ミックス部３８に出力する。映像信号ミックス部３８は、映像信号復号部３５から入力されたアナログ映像信号と、ＯＳＤ作成部３７から入力されたＯＳＤ画面データとをミックス（重畳）し、外部のモニター装置５の出力を制御する映像出力部３９に出力する。また、音声信号ＰＥＳが入力された音声信号復号部３６は、音声信号ＰＥＳを復号してアナログの音声信号を外部スピーカ等の出力を制御する音声出力部４０に出力する。
【００２９】
３．リモコンの構成
図３は、図１に示すテレビ受信装置１０に付随するリモコン７の操作パネルを示す図である。図３において、本リモコンは、テレビ受信装置１０の電源キー７Ａと、ＢＳ放送、ＣＳ放送、地上デジタル放送、地上アナログ放送の中から受信する放送の種類を選択するための放送選択キー７Ｂと、放送チャンネルを順送りで選局するための順送り選局キー７Ｃと、放送チャンネルを直接指定して選局するためのダイレクト選局キー７Ｄ（地上波放送用）及び７Ｅ（衛星放送用）と、ＣＡＴＶ選択キー７Ｆと、電子番組表の表示キー７Ｈと、番組情報の表示画面上でカーソルを上下左右に移動させ所望のアイテムを選択するためのカーソル移動キー及び決定キー７Ｉと、現在視聴中の番組に関連する番組情報を表示する関連番組表示キー７Ｊと、番組の視聴予約又は録画予約を行うための予約キー７Ｋとを有している。
【００３０】
４．関連番組情報の表示
続いて、図１に示すテレビ受信装置１０において、リモコン７の関連番組表示キー７Ｊを押して、現在視聴中の番組に関連する番組情報を表示させる機能について説明する。図４は、テレビ受信装置１０のモニター装置５の表示画面５Ａ上に関連番組情報を表示する例を示す図である。尚、この関連番組情報は、モニター装置５に表示される映像に重畳するようにして表示してもよいし、あるいはモニター装置５に表示される映像の外側に縮小サイズで表示してもよい。
【００３１】
図４において、関連番組情報は、表示項目を示す欄６１と表示内容を示す欄６２とから構成されるテーブル形式により表示されている。表示項目には、現在視聴中の番組との関連項目を示すフィールド６３、番組の放送チャンネルを示すフィールド６４、番組のタイトルを示すフィールド６５、番組の放送日、放送開始時間及び終了時間を示すフィールド６６、視聴予約の有無を示すフィールド６７、録画予約の有無を示すフィールド６８が含まれている。
【００３２】
図４に示すように、現在視聴中の番組と関連する番組情報としては、現在視聴中の番組の直後の番組、現在視聴中の番組と同一シリーズの番組、現在視聴中の番組と同じジャンルの番組、翌日の現在視聴している時間帯と同一時間帯に放送される番組、毎日の現在視聴している時間帯と同一時間帯に放送される番組、１週間後の現在視聴している時間帯と同一時間帯に放送される番組、毎週の現在視聴している時間帯と同一時間帯に放送される番組が表示されるようになっている。しかしながら、上記は関連番組情報の表示項目の例を示したに過ぎず、これら以外の表示項目が含まれていてもよい。
【００３３】
図４に示す関連番組情報の表示画面上には、カーソル６９が表示されており、ユーザはリモコンを用いてこのカーソル６９を移動させ、所定の設定を行うことができる。例えば、フィールド６７又は６８上のいずれかのセルでリモコンの決定ボタンを押すと、視聴予約又は録画予約を行うように、あるいはキャンセルするように設定することができる。視聴予約又は録画予約を行うよう設定がされると、フィールド６７又は６８上の該当箇所にチェックマーク７０Ａ〜７０Ｄが表示されるようになっている。
【００３４】
ところで、この関連番組情報の表示画面は、ユーザがリモコン７の関連番組表示キー７Ｊを押して表示させる以外にも、テレビ受信装置１０が所定のタイミングで自動的に表示を行うようにしてもよい。例えば、現在視聴中の番組の終了時間から一定時間前の時点で、関連番組情報を表示し、さらに一定時間経過後、自動的に消去するようにすれば、ユーザは自ら動作をすることなく、現在視聴中の番組の終了前にその番組の関連番組情報を閲覧し、必要な操作を行うことができる。
【００３５】
以上説明したように、本発明の番組情報表示システムを備えたテレビ受信装置１０において、ユーザは、現在視聴中の番組に関連する番組の情報を極めて容易な操作により表示させることができ、さらに、その表示された番組の視聴予約又は録画予約を簡単にすることができるので、従来の電子番組ガイド表示機能を備えたテレビ受信装置に比べて、ユーザの利便性が向上されていることが分かる。
【００３６】
以上、本発明の番組情報表示システム及び番組情報表示方法について、具体的な実施の形態を示して説明したが、本発明はこれらに限定されるものではない。当業者であれば、本発明の要旨を逸脱しない範囲内において、上記各実施形態又は他の実施形態にかかる発明の構成及び機能に様々な変更・改良を加えることが可能である。
【産業上の利用可能性】
【００３７】
本発明の番組情報表示システム及び番組情報表示方法は、衛星デジタル放送、地上デジタル放送、地上アナログ放送、ＣＡＴＶなどの放送を受信するテレビ受信装置であって、放送コンテンツとともに送信されているＥＰＧデータを受信することができるあらゆる種類のテレビ受信装置において利用可能である。具体的には、テレビ受信装置内部のＥＰＧ表示プログラム又はその一部として実装されるものである。
【図面の簡単な説明】
【００３８】
【図１】本発明の番組情報表示システムを内蔵したテレビ受信装置の全体構成を概略的に示す図である。
【図２】図１に示すテレビ受信装置に内蔵されている放送受信部の構成を概略的に示す機能ブロック図である。
【図３】図１に示すテレビ受信装置に付随するリモコンの操作パネルを示す図である。
【図４】図１に示すテレビ受信装置のモニター装置の表示画面上に関連番組情報を表示する例を示す図である。
【符号の説明】
【００３９】
１  デジタル衛星放送受信アンテナ
２  デジタル地上放送受信アンテナ
３  アナログ地上放送受信アンテナ
５  モニター装置
５Ａ  表示画面
６  リモコン受信部
７  リモコン
７Ａ  電源キー
７Ｂ  放送選択キー
７Ｃ  順送り選局キー
７Ｄ  ダイレクト選局キー（地上波放送）
７Ｅ  ダイレクト選局キー（衛星放送）
７Ｆ  ＣＡＴＶ選択キー
７Ｈ  電子番組表の表示キー
７Ｉ  カーソル移動キー及び決定キー
７Ｊ  関連番組表示キー
７Ｋ  視聴又は録画予約キー
１０  テレビ受信装置
３１  操作入力部
３２  ＣＰＵ
３３  チューニング／復調部
３４  多重信号分離部
３５  映像信号復号部
３６  音声信号復号部
３７  ＯＳＤ作成部
３８  映像信号ミックス部
３９  映像出力部
４０  音声出力部
５０  放送受信部
６１  関連番組情報の表示項目を示す欄
６２  関連番組情報の表示内容を示す欄
６３  関連項目フィールド
６４  チャンネルフィールド
６５  タイトルフィールド
６６  日時フィールド
６７  視聴予約フィールド
６８  録画予約フィールド
６９  カーソル
７０Ａ〜７０Ｄ  チェックマーク
【図１】
2006033410.tif 000003
【図２】
2006033410.tif 000004
【図３】
2006033410.tif 000005
【図４】
2006033410.tif 000006